(57)【特許請求の範囲】
【請求項１】
表面に接着剤層を有する細長い弾性体を、円形の被貼付体の開口縁に沿って貼付ける弾性体の貼付け方法であって、巻付け用円筒体の外側面に、前記弾性体の一端を当接して挟持する第一の工程と、前記巻付け用円筒体を回動し、その外側面に沿って前記弾性体を巻付けるとともに、この弾性体の少なくとも一端側を延ばしてその一端部を、この弾性体の他端部に当接させ、この弾性体をリング状にする第二の工程と、前記円形の被貼付体を、前記リング状弾性体の表面の接着剤層に押圧して貼付ける第三の工程とからなる弾性体の貼付け方法。
【請求項２】
弾性体の長さを、巻付け用円筒体の外径の円周長さよりも短くした請求項１に記載の弾性体シートの貼付け方法。
【請求項３】
表面に接着剤層を有する細長い弾性体の一端を挟持しながら回動して、外側面に前記弾性体を巻付ける巻付け用円筒体部と、前記弾性体の外側面を規制するとともに、前記巻付け用円筒体部の回動と同期しながら連れ回りして、この巻付け用円筒体部の円周上に前記弾性体を搬送する搬送案内手段と、円形の被貼付体の開口縁を前記リング状弾性体の表面の接着剤層に押圧して貼付ける転写貼付け部とからなる弾性体の貼付け装置であって、前記巻付け用円筒体部が、前記搬送案内手段を円周上に搬送する案内回動手段と、前記弾性体の一端を挟持しながら回動して外側面にこの弾性体を巻付ける巻付け回動手段とからなり、この弾性体を前記案内回動手段で円周上に搬送した後、前記巻付け回動手段のみを回動することで、前記弾性体の少なくとも一端側を延ばしてこの弾性体の他端部に当接させ、この弾性体をリング状にする弾性体シートの貼付け装置。
【請求項４】
巻付け回動手段と案内回動手段とが、摺動しながら独立に回動可能に連結されている請求項３に記載の弾性体の貼付け装置。
【請求項５】
被貼付体の開口縁の内径と、巻付け用円筒体部の外径とが略等しい請求項３または請求項４に記載の弾性体の貼付け装置。
【請求項６】
巻付け用円筒体部の天面がリング状弾性体の天面よりも低く、搬送案内部の内側面を被貼付体の外径と略等しい円弧とした請求項３または請求項４に記載の弾性体の貼付け装置。
【発明の詳細な説明】
【技術分野】
【０００１】
本発明は、スピーカなどの電気音響変換器の製造方法とそれに用いる製造装置に関するものであり、特に防音、吸音、気密などを目的とした、細長い弾性体をガスケットに貼付ける方法とそれに用いる貼付け装置に関するものである。
【背景技術】
【０００２】
スピーカなどの電気音響変換器をパネルなどに取り付ける場合、コーンの振動がパネルに伝達して音質が劣化することを防止するため、スピーカの枠部に弾性体からなるクッション材を貼付けて振動を吸収する必要がある。特に、車載用スピーカに関しては、ドア等に取り付ける場合が多く、吸音以外にも防音、気密を目的として用いられている。
【０００３】
このクッション材は、通常、発泡ウレタンやゴムなどの柔らかく、かつ伸び縮みしやすい弾性体であるため、機械での取り扱いが困難であり、従来はその表面に接着剤層を設けた細長い弾性体の一端を直接に円形の被貼付体の開口縁に接着した後、治具などにより被貼付体を回動させながら開口縁に沿って順次接着する貼付け方法や、あるいは、予め弾性体を所定の形状（例えばリング状）に打抜き加工したものを接着する貼付け方法が用いられていた。
【０００４】
なお、この出願の発明に関する先行技術文献情報としては、例えば、特許文献１が知られている。
【特許文献１】特開昭６３−１８３０８９号公報
【発明の開示】
【発明が解決しようとする課題】
【０００５】
上記の細長い弾性体を用いる貼付け方法では、弾性体が柔らかく、かつ伸び縮みしやすいため、被貼付体の開口縁に貼付けたとき、しわや浮きが生じやすく、また弾性体の両端部を当接してリング形状とすることが困難であった。さらに、所定の形状に予め打抜く場合であっても、柔らかく伸び縮みしやすい材料を高精度に打抜くことは困難であり、また貼付け時には上記と同様の問題があるため、作業者の技能に貼付け精度が大きく左右されていた。
【０００６】
そこで本発明は、細長い弾性体を円形の開口縁に沿って高精度に貼付ける方法とそれに用いる貼付け装置を提供することを目的とする。
【課題を解決するための手段】
【０００７】
そして上記目的を達成するために、表面に接着剤層を有する細長い弾性体を、円形の被貼付体の開口縁に沿って貼付ける弾性体の貼付け方法であって、巻付け用円筒体の外側面に、前記弾性体の一端を当接して挟持する第一の工程と、前記巻付け用円筒体を回動し、その外側面に沿って前記弾性体を巻付けるとともに、この弾性体の少なくとも一端側を延ばしてその一端部を、この弾性体の他端部に当接させ、この弾性体をリング状にする第二の工程と、前記円形の被貼付体を、前記リング状弾性体の表面の接着剤層に押圧して貼付ける第三の工程とすることで、貼付けた細長い弾性体の表面にしわや浮きが生じず、さらに少なくとも一端側を延ばして他端部に当接することで弾性体をリング形状とできるため、その結果、高精度に弾性体を被貼付体の開口縁に貼付けることが可能となる。
【発明の効果】
【０００８】
本発明の弾性体の貼付け方法は、被貼付体の開口縁の内径の円周長さよりも短い長さの弾性体を、巻付け円筒体の外側面に沿って外側面に巻付けた後、弾性体の両端部に生じる間隙を、弾性体の一端を挟持して少なくとも一端側を伸ばすことでこの弾性体の他端部に当接してリング形状とすることができるので、被貼付体を弾性体の表面の接着剤層に押圧して貼付けるとき、弾性体にしわや浮きなどが生じず、さらにその両端を確実に合わせたリング形状として貼付けることができ、その結果、高精度に弾性体を被貼付体の開口縁に貼付けることができる顕著な作用効果を奏するものである。さらに、本発明の弾性体の巻付け装置を用いることにより、搬送案内手段と案内回動手段とにより巻付け用円筒体の外側面に巻付けた弾性体を、案内回動手段を停止させた状態で、巻付け回動手段のみをさらに摺動しながら回動させることで、弾性体の一端部を挟持しながら少なくともその一端側を延ばすことができるため、容易に弾性体の一端部を他端部に当接してリング形状とする装置を提供できる作用効果も同時に奏するものである。
【発明を実施するための最良の形態】
【０００９】
以下、図を用いて本発明の実施の形態について説明する。
【００１０】
図１は、本発明の一実施の形態における細長い弾性体を貼付けた完成品の一例を示す図である。本実施の形態は、スピーカの前面枠に取り付ける弾性体付ガスケットの一例を示したものである。図１（ａ）は正面図、図１（ｂ）はＡ−ＡＡ断面図をそれぞれ示している。弾性体付ガスケット１は、樹脂を円形に成形したガスケット２の開口縁２ａに、細長い弾性体３をその開口縁に沿って貼付けたものである。ここで、細長い弾性体３の「細長い」とは、弾性体３の長さに対してその幅が概ね１／１０以下のものを意味しているが、選択した弾性体３の柔らかさや伸び縮みのし易さにより本実施の形態の適用範囲は広がるものである。
【００１１】
図２（ａ）は、細長い弾性体３の斜視図、図２（ｂ）はその一部断面図を示している。弾性体シート４を所定の幅に切出して、細長い弾性体３として用いる。細長い弾性体３は、発泡ウレタンやゴムなどからなるクッション材３ａの少なくとも一面に接着剤層３ｂを有したものである。
【００１２】
尚、切出すときの細長い弾性体３の長さＬは、ガスケット２に貼付けた後の長さ、すなわち図１におけるガスケット２の開口縁２ａの円周長さＬ１よりも短くなるようにする。これは、後に詳述するが、細長い弾性体３を延ばすことで、しわや浮きがなく、さらに弾性体３の両端部を当接させてリング形状として開口縁２ａに貼付けられるようにするためである。細長い弾性体３の長さＬは、上記のように、貼付けた後の外形の全長（円形の場合は円周長さ）Ｌ１を予め求めておき、常にＬ１よりも短くなるようにＬを設計する。
【００１３】
次に本発明の一実施の形態における細長い弾性体３の貼付け装置の構造を説明する。
【００１４】
図３は、細長い弾性体３の貼付け装置の上面図を示している。本実施の形態における細長い弾性体３の貼付け装置は、大きく二つの機構から構成されている。一つは細長い弾性体３をその外側面に巻付けた後、その両端部を当接して合致させる巻付け円筒体部５と、巻付け円筒体部５に細長い弾性体３を供給する搬送供給部６である。
【００１５】
まず初めに、搬送供給部６の詳細構造を説明する。搬送供給部６は、ローラーチェーンやコンベヤチェーンなどからなるローラーチェーン７と、ローラーチェーン７に連結されたアタッチメント８と、アタッチメント８の外縁部に連結され、その表面に接着剤層３ｂを有する細長い弾性体３の外側面を規制し、円周上に案内して搬送する可動外周ガイド９と、上記ローラーチェーン７を巻付け円筒体部５に案内するガイド溝１０を有するローラーチェーンガイド部１１とで構成されている。そして、これらローラーチェーン７、アタッチメント８、可動外周ガイド９からなる搬送案内部を後述する巻付け円筒体部５に供給する。
【００１６】
図４は、図３における供給搬送部６のＢ−ＢＢ断面を示している。上述したローラーチェーンガイド部１１は、基台１２上に固定されている。ローラーチェーンガイド部の天面には、ローラーチェーン７を収納し揺動を規制するガイド溝１０が形成されている。ガイド溝１０の断面形状は、図４に示すように逆Ｔ字形状であり、ローラーチェーン７のリングプレート１３でガイド溝１０から上方向（図４では左方向）に脱離しない構造となっている。また、ガイド溝１０の幅は、リングプレート１３の幅と略等しくしているため、細長い弾性体３を巻付け円筒体部５に案内するとき、左右方向（図４では上下方向）の揺動を低減し、正確に巻付け円筒体部５の供給口１４へ案内することができるものである。また、ローラーチェーン７上にはアタッチメント８が、アタッチメント８の外周部には可動外周ガイド９が連結されている。細長い弾性体供給台１５から供給される細長い弾性体３は、この可動外周ガイド９で位置を規制しながら巻付け円筒体部５の供給口１４へ確実に案内されるものである。
【００１７】
次に巻付け円筒体部５の詳細構造を主に図５を用いて説明する。図３に示した細長い弾性体３の巻付け装置の側面図であり、特に巻付け円筒体部５は、その構造を説明するため、一部切欠き断面図としたものである。
【００１８】
巻付け円筒体部５は、細長い弾性体３の位置を規制して搬送供給部６から供給されるドライブチェーン７とともに可動外周ガイド９を円周上に案内する案内回動手段１６と、前記ドライブチェーン７とともに供給される細長い弾性体３を円周上に巻付ける巻付け回動手段１７とから構成されている。この巻付け回動手段１７は、案内回動手段１６と押圧板１８とで挟持されており、心棒１９と玉ベアリングなどからなるベアリング２０で回動可能に連結されている。
【００１９】
尚、巻付け回動手段１７には、供給口１４から供給される細長い弾性体３の一端を挟持して保持する挟持手段２１が設けられている。この挟持手段２１は、上方から押圧することにより、矢印に示すように図面左側に倒れ、上方に開口する間口が広くなるように巻付け回動手段１７の側面に取り付けられたものである。そして押圧を解除することで立ち上がり、元の位置に戻る。挟持手段２１を押圧してその間口を広げ、細長い弾性体３の一端を挿入した後に挟持手段２１の押圧を解除する。そうすることで、細長い弾性体３は、巻付け回動手段の外側面１７ａと挟持手段２１とによりその両側面で挟持されて保持することが可能となる。
【００２０】
また、案内回動手段１６は、ドライブチェーン７とそのピッチが略等しいスプロケットなどからなり、巻付け回動手段１７を、挟持手段２１に固定されているハンドル２２を持って回動することにより、案内回動手段１６と巻付け回動手段１７とは同期して回動することで連れ回る。そして、ドライブチェーン７を案内回動手段１６に巻付けることで、短冊状弾性シート３を図６に示すように巻付け回動手段の側面１７ａにほぼ全周にわたり巻付ける。
【００２１】
ここで、巻付け円筒体部５は、基台２３に固定されている回転の始点および終点位置を規制する始点ストッパー２４、終点ストッパー２５、案内回動手段１６に固定されているストッパー２６により、その回動可能角度は図３に示す中心角θ１で制約されている。この巻付け円筒体部５の中心角θ１は、常に３６０度以下であり、巻付ける細長い弾性体３の長さと略等しくなるように、巻付け円筒体部５の外側面１７ａの円周長さを考慮して決定するものである。上記のように、ハンドル２２を持って回動することにより、巻付け円筒体部５、すなわち案内回動手段１６と巻付け回動手段１７は、案内回動手段１６に固定されているストッパー２６を始点ストッパー２４と終点ストッパー２５に当接させることで回動可能角度を規制するものである。
【００２２】
ここで、巻付け回動手段１７の軸受け部２７、すなわち押圧板１８と案内回動手段１６との接触面（図５の太線部）は、押圧板１８と案内回動手段１６とで挟持されているのみであるため、案内回動手段１６を終点ストッパー２５に当接させて停止させた後、さらに力をかけることにより、巻付け回動手段１７のみを図６に示すように中心角θ２の範囲で、摺動させながらさらに回動させることが可能である。このように、案内回動手段１６を停止した後に、巻付け回動手段１７のみを摺動させながらさらに回動させることにより、細長い弾性体３の長さを延ばすことができる。すなわち、細長い弾性体３の両端部を当接させて、リング形状とすることが可能となるものである。この長さを延ばす機構は、以下に説明する延ばす量を規制する機構と、巻付け回動手段１７のみを案内回動手段１６と摺動させながらさらに回動する機構とから構成されている。
【００２３】
上記の弾性体３を延ばす量を規制する機構は、巻付け回動手段１７に設けた貫通孔である第１、第２の円弧状の長穴２８、２９と、案内回動手段１６に設けた第１、第２の係止ブロック３０、３１と、上記円弧状の長穴に沿って動く第１、第２の位置規制ブロック３２、３３とから構成される。
【００２４】
ここで、細長い弾性体３の長さを延ばす機構についてさらに詳細に説明する。
【００２５】
第１、第２の位置規制ブロック３２、３３は、第１、第２の円弧状の長穴２８、２９に沿ってスライド可能にボルトなどで連結されている。巻付け円筒体部５の回動する始点では図３に示すように、第１の位置規制ブロック３２は第１の円弧状の長穴２８の左端側にあり、第１の位置規制ブロック３２が有する磁石３４で第１の係止ブロック３０に当接されている。また、第２の位置規制ブロック３３は、第２の円弧状の長穴２９の左端側にある。巻付け回動手段１７を中心角θ１で回動させ、ストッパー２６が終点ストッパー２５に当接するまで、上記の状態が維持される。ストッパー２６が終点ストッパー２５に当接すると、案内回動手段１６は回動停止するが、さらにハンドル２２をもって回動することで、巻付け回動手段１７のみを摺動させながらさらに回動させることができる。このとき、第１の位置規制ブロック３２は、当接していた第１の係止ブロック３０から離れ、第１の円弧状の長穴２８とともに巻付け回動手段１７と連れ回りすることになる。一方、第２の位置規制ブロック３３は、巻付け回動手段１７の回動とともに連れ回りして、磁石３４により第２の係止ブロック３１に当接する。上記のように、第１、第２の円弧状の長穴２８、２９に対して、第１、第２の係止ブロック３０、３１を回動方向に対して互いに逆位置に配置（第１の円弧状の長穴２８に対して左側、第２の円弧状の長穴２９に対しては右側に配置）することで、巻付け回動手段１７が単独で回動できる中心角θ２を規定するものである。尚、第１、第２の位置規制ブロック３２、３３、終点ストッパー２５に磁石を設けているのは、巻付け回動手段１７を左回りに回動させてチェーンブロック７を搬送供給部６に戻すとき、初期抵抗を大きくすることで、巻付け回動手段１７のみをさらに回動させて初期位置に戻すためであり、また始点および終点位置のずれを許容するためのものである。
【００２６】
尚、案内回動手段１６を停止させた後、巻付け回動手段１７をさらに回動させる量を規制する別の手段としては、案内回動手段１６にピンなどを固定し、第１、第２の円弧状の長穴２８、２９に通しておくのみでもよい。
【００２７】
上述したように、巻付け回動手段１７と案内回動手段１６とを同期させて連れ回りすることで、巻付け回動手段１７の側面に細長い弾性体３を巻付け、さらに巻付け回動手段１７のみを回動させることで、細長い弾性体３の一端部を挟持して少なくとも一端側を延ばすことで、挟持手段２１で挟持した一端を、もう一方の端部に当接させることができるため、その結果、弾性体３の両端部を当接したリング形状で被貼付体２の開口縁２ａに高い精度で貼付けすることが可能となる。巻付け回動手段１７と案内回動手段１６とを互いに同期させて連れ回りさせる中心角θ１と、案内回動手段１６を停止させた後、巻付け回動手段１７のみを回動させる中心角θ２とは、互いを加算して略３６０度、または３６０度以上となるように設計するものである。
【００２８】
上記は、第１、第２の円弧状の長穴２８、２９を設けることで、巻付け回動手段１７のみを摺動して回動させる中心角θ２を規制した実施の形態であるが、これら第１、第２の円弧状の長穴２８、２９を設けなくても同様の効果が得られるものである。すなわち、案内回動手段１６と巻付け回動手段１７を連れ回りさせる中心角θ１に加え、さらに巻付け回動手段１７のみを摺動してさらに回動させることで３６０度以上とすることにより、弾性体３の終端３ｄに、始端３ｃを当接させることができるものである。
【００２９】
巻付け回動手段１７の外側面である１７ａの円周長さは、貼付けるガスケット２の内径と略同一とすることで、ガスケット２を１７ａに通して押圧することで、簡単に細長い弾性体３を高精度にガスケット２の開口縁２ａに貼付けが可能となる。
【００３０】
さらに、ハンドル２２を取り外し、巻付け回動手段１７の天面部を、細長い弾性体３の天面よりも低く構成することで、たとえば、ガスケット２が貫通孔のない円盤形状であっても、押圧することで、細長い弾性体３を高精度に貼付けすることが可能となる。このとき、可動外側ガイド８の内径を、前記円盤の外径と略等しい円弧形状とすることで、この可動外側ガイド８で位置を規制して細長い弾性体３を上記円盤の外縁部に沿って正確に貼付けることが可能となる。
【００３１】
次に、本発明の一実施の形態における細長い弾性体３の貼付け方法について図を用いて説明する。
【００３２】
図７は、本実施の形態における細長い弾性体３の貼付方法を説明する工程説明図である。左側が巻取り回転体部５であり、右側が搬送供給部６を示している。本実施の形態では、搬送供給部６を構成するチェーンブロック７は、工程を説明するため、簡略化している。
【００３３】
まず初めに、準備台３５上に準備した複数の細長い弾性体３から１本を抜き取り、巻取り回転体部５の供給口１４へ挿入する。このとき、細長い弾性体３は、後述する工程でガスケット２に貼付けるため、接着剤層３ｂを表面側とする。このとき、挟持手段２１を押し下げることで、開口部の間口を広げ、細長い弾性体３の先端を挿入し、挟持手段２１を離すことで、挟持手段２１と、巻付け回動手段１７の外側面とで細長い弾性体３の両側面を挟持して固定することとなる。
【００３４】
尚、回動開始位置は、案内回動手段１６の底面に設けたストッパー２６を、基台２３に設けられた始点ストッパー２４に当接させた位置とし、回動方向は矢印に示す右回りとする。また、巻付け回動手段１７の初期位置は、第１の位置規制ブロック３２と第１の係止ブロック３０とが当接した位置とする。
【００３５】
上記位置を回動開始位置として、ハンドル２２を持って右回りに回動させることで、図８に示すように、チェーンブロック７（図３）とともに搬送案内部は、案内回動手段１６に巻付けられて円周上に細長い弾性体３を案内しながら搬送する。このとき、案内回動手段１６と巻付け回動手段１７とは同期して回動することで、細長い弾性体３を巻付け回動手段１７の外側面（図５の１７ａ）に沿って巻付けられる。案内回動手段１６は、チェーンブロック７と略等しいピッチのスプロケット等からなり、案内回動手段１６で円周上に案内されたとき、可動外周ガイド９と巻付け回動手段１７の外側面との間隔は、巻付ける細長い弾性体３の幅とほぼ等しくなるように設計されているものである。そして、さらにハンドル２２を持って回動させることで、案内回動手段１６の底面に固定されているストッパー２６を、基台２３に固定されている終点ストッパー２５に当接させて、図９に示す状態とする。
【００３６】
図９は、上述したように、ハンドル２２を持って右回りに回動させることで、ストッパー２６を終点ストッパー２５に当接させた状態を示している。
【００３７】
図９において、細長い弾性体３は、巻付け回動手段１７の側面にほぼ全周にわたって巻付けられており、細長い弾性体３の両端部３ｃ、３ｄは、中心角θ３で示す所定の間隔があいている。この間隔θ３は、細長い弾性体３を巻付けたとき、途中でしわや浮きが発生するのを防止する目的で、必ず設定することが必要である。巻付け回動手段１７の外側面の円周長さは、細長い弾性体３を貼付けるガスケット２の内周の円周長さと略等しく、したがって、細長い弾性体３の全長は、少なくともガスケット２の内周の円周長さよりも短くなるように設計されているものである。
【００３８】
この状態から、さらにハンドル２２を持って右回りに回動させることにより、巻付け回動手段１７のみを、摺動させながらさらに右回りに回動させることが可能となる。すなわち、巻付け回動手段１７のみが案内回動手段１６とスリップしながら摺動して回動し、第１の位置規制ブロック３２が、巻付け回動手段１７とともに連れ回りして第１の係止ブロック３０から離れる。一方で、第２の位置規制ブロック３３は、巻付け回動手段１７とともに連れ回りし、第２の係止ブロック３１に接近する。
【００３９】
また、細長い弾性体３の始端部３ｃは、挟持手段２１で挟持されており、始端部以外は、可動外周ガイド９と巻付け回動手段１７の外周面とに軽く挟持された状態となっている。
【００４０】
そのため、細長い弾性体３の終端部３ｄは固定された状態で、始端部３ｃのみが巻付け回動手段１７とともに回動することで、細長い弾性体３の少なくとも一端側が延びることで、終端部３ｄに始端部３ｃが当接され、図１０に示す状態となる。
【００４１】
第１、第２の円弧状の長穴２８、２９で規制される、巻付け回動手段１７のみが単独で回動する中心角θ２を、θ３より大きくすることで、必ず細長い弾性体３の両端部を当接させることが可能となる。
【００４２】
この状態で、巻付け回動手段１７の外周に沿って、ガスケット２を挿入してその開口縁を、細長い弾性体３の接着剤層３ａに押圧することで、細長い弾性体３をガスケット２の開口縁２ａに転写して貼付けるのである。
【００４３】
このとき、巻付け回動手段１７の外径と、弾性体３を貼付けるガスケット２の内径とを略等しくすることで、巻付け回動手段１７の外径を基準として細長い弾性体３を高精度にガスケット２の開口縁２ａに貼付けることが可能となる。さらに、巻付け回動手段１７の天面を、巻付ける細長い弾性体３の天面よりも低くすることで、ガスケット２が貫通孔のない円盤形状であってもその外縁部に円周に沿って細長い弾性体３を高精度に貼付けることが可能となる。また、可動外周ガイド９の内径を、貼付ける円盤の外径と略等しくすることで、可動外周ガイド９を基準として円盤の外縁部に高精度に細長い弾性体３を貼付けることが可能となる。
【００４４】
上述したように、本実施の形態の弾性体シートの貼付け装置と貼付け方法を用いることで、細長い弾性体３をしわや浮きがなく、その両端部を当接させてリング形状で高精度に貼付けることができる。
【００４５】
本実施の形態では、巻付け回動手段１７と案内回動手段１６との連結に、摩擦力を利用しているが、例えば、外部に複数の回転駆動機構を設けることで、巻付け回動手段１７と案内回動手段を独立して制御しても同等の効果を実現できるものである。
【００４６】
また、巻付け回動手段１７のみを独立して回動させるための力は、巻付け回動手段１７、案内回動手段１６、押圧板１８との接触面における面粗度を調整することで制御可能である。さらに、巻付け回動手段１７および案内回動手段１６に電磁石などを埋め込むことにより、巻付け回動手段１７のみを回動させるときの摺動摩擦抵抗を制御することも可能である。
【００４７】
本実施の形態は、スピーカなど電気音響変換器の前面枠に取付けるクッション付ガスケットの一例であるが、ガスケットに用途を限定するものではなく、リング状あるいは貫通孔の無い円盤等に、細長い弾性体を特にその両端を合致させ、しわや浮きがなく高精度に貼付ける方法とそれに用いる装置に適用できるものである。
【産業上の利用可能性】
【００４８】
本発明に係る弾性体シートの貼付け方法とそれに用いる貼付け装置によれば、被貼付体の開口縁の内径の円周長さよりも短い長さの弾性体を、巻付け円筒体の外側面に沿って外側面に巻付けた後、弾性体の両端部に生じる間隙を、弾性体の一端を挟持して少なくとも一端側を伸ばすことでこの弾性体の他端部に当接してリング形状とすることができるので、被貼付体を弾性体の表面の接着剤層に押圧して貼付けるとき、弾性体にしわや浮きなどが生じず、さらにその両端を確実に合わせたリング形状として貼付けることができ、その結果、高精度に弾性体を被貼付体の開口縁に貼付けることができる顕著な作用効果を奏するものである。さらに、本発明の弾性体の巻付け装置を用いることにより、搬送案内手段と案内回動手段とにより巻付け用円筒体の外側面に巻付けた弾性体を、案内回動手段を停止させた状態で、巻付け回動手段のみをさらに摺動しながら回動させることで、弾性体の一端部を挟持して少なくとも一端側を延ばすことができるため、容易に弾性体の一端部を他端部に当接してリング形状とすることができる作用効果も同時に奏するもので、スピーカなどの電気音響変換器の、特に防音、吸音、気密などを目的とした弾性体シートを、スピーカの枠であるガスケットなどに貼付ける方法とそれに用いる装置に有用である。
【図面の簡単な説明】
【００４９】
【図１】（ａ）本発明の一実施の形態における弾性体付ガスケットの正面図、（ｂ）同弾性体付ガスケットの図１（ａ）のＡ−ＡＡ断面図
【図２】（ａ）本発明の一実施の形態における細長い弾性体の斜視図、（ｂ）同図の断面図
【図３】本発明の一実施の形態における弾性体貼付け装置の上面図
【図４】同装置の図３のＢ−ＢＢ断面図
【図５】同装置の巻取り円筒体部の一部切欠き断面図
【図６】同装置の巻取り円筒体部の上面図
【図７】本発明の一実施の形態を示す細長い弾性体の貼付け方法を説明する製造工程を示す上面図
【図８】同細長い弾性体の貼付け方法を説明する製造工程を示す上面図
【図９】同細長い弾性体の貼付け方法を説明する製造工程を示す上面図
【図１０】同細長い弾性体の貼付け方法を説明する製造工程を示す上面図
【符号の説明】
【００５０】
２  被貼付体
３  細長い弾性体
３ｂ  接着剤層
３ｃ、３ｄ  細長い弾性体の端部
５  巻付け円筒体部
６  搬送供給部
１６  案内回動手段
１７  巻付け回動手段
【図１】
0004697058.tif 000002
【図２】
0004697058.tif 000003
【図３】
0004697058.tif 000004
【図４】
0004697058.tif 000005
【図５】
0004697058.tif 000006
【図６】
0004697058.tif 000007
【図７】
0004697058.tif 000008
【図８】
0004697058.tif 000009
【図９】
0004697058.tif 000010
【図１０】
0004697058.tif 000011